【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
睡眠時呼吸障害の治療のために患者の気道の入口に陽圧で供給空気を送給するための患者インターフェースシステムにおいて、
シールおよび可撓性基部を備えた患者インターフェース構造体であって、前記可撓性基部は、プレナムを画成した頂部部分および下方部分を有し、前記シールは、前記頂部部分の上に配置された患者インターフェース構造体と、
使用時には前記頂部部分に連結され、使用時には鼻孔に対して垂直な方向へと鼻の付根に対して力を配向するように構成されたシール位置決め／安定化構造体と、
前記患者の呼気の排出を可能にするベントであって、剛性または半剛性となるように構成されたベントと、
前記患者インターフェース構造体の前記可撓性基部の前記下方部分に連結された空気送給チューブであって、前記下方部分は、前記シールおよび前記シール位置決め／安定化構造体からチューブ牽引力を切り離すように構築された可撓性側壁部を備えた空気送給チューブと、
を備えている、患者インターフェースシステム。
【請求項２】
前記シールは、鼻枕を備えている、請求項１に記載の患者インターフェース構造体。
【請求項３】
前記シールは、鼻プロングを備えている、請求項１に記載の患者インターフェース構造体。
【請求項４】
前記シールは、発泡体クッションを備えている、請求項１〜３のいずれか一項に記載の患者インターフェース構造体。
【請求項５】
前記シールは、ゲルクッションを備えている、請求項１〜３のいずれか一項に記載の患者インターフェース構造体。
【請求項６】
前記シールは、フラップクッションを備えている、請求項１〜５のいずれか一項に記載の患者インターフェース構造体。
【請求項７】
前記患者インターフェース構造体は、一体的に形成されている、請求項１〜６のいずれか一項に記載の患者インターフェースシステム。
【請求項８】
前記可撓性基部は、シリコーンから成型されている、請求項１〜７のいずれか一項に記載の患者インターフェースシステム。
【請求項９】
前記可撓性基部は、約２０から約６０の範囲内のショアＡ硬度を有する材料から作製されている、請求項１〜８のいずれか一項に記載の患者インターフェースシステム。
【請求項１０】
前記シール位置決め／安定化構造体は、前記患者インターフェース構造体の前記頂部部分を通して力線を配向するように構築されている、請求項１〜９のいずれか一項に記載の患者インターフェースシステム。
【請求項１１】
前記可撓性基部は、前記供給空気を受けるように適合化された開口部を備え、前記開口部は、側方から見た場合に、前記シールを通る軸が、前記開口部に対する垂直線に対して実質的に平行となるように配置されている、請求項１〜１０のいずれか一項に記載の患者インターフェースシステム。
【請求項１２】
前記空気送給チューブは、前記シールを通る軸に対して実質的に平行な方向へと、前記下方部分に供給空気を送給するように配置されている、請求項１〜１１のいずれか一項に記載の患者インターフェースシステム。
【請求項１３】
前記可撓性基部は、側方ベロー領域を備えている、請求項１〜１２のいずれか一項に記載の患者インターフェース構造体。
【請求項１４】
前記可撓性基部は、前記患者の上唇および前記患者の鼻の先端部を収容するように、前記側方ベロー領域の中間に幅狭領域を備えている、請求項１３に記載の患者インターフェース構造体。
【請求項１５】
前記シールは、前記可撓性基部から取外し可能である、請求項１〜１４のいずれか一項に記載の患者インターフェース。
【請求項１６】
前記ベント構造体は、重力下において自身の重量を支持するために十分な剛性、および／またはチューブの移動もしくはチューブ牽引下において閉塞もしくは折曲しないために十分な剛性を有する、請求項１〜１５のいずれか一項に記載の患者インターフェース構造体。
【請求項１７】
前記ベント構造体は、半剛性である、請求項１〜１６のいずれか一項に記載の患者インターフェース。
【請求項１８】
エルボをさらに備えている、請求項１〜１７のいずれか一項に記載の患者インターフェース。
【請求項１９】
前記ベント構造体は、エルボ中に含まれている、請求項１８に記載の患者インターフェース。
【請求項２０】
前記シール位置決め／安定化構造体は、使用時に、前記鼻の前記付根の付近に連結部の平面を画定している、請求項１〜１９のいずれか一項に記載の患者インターフェース。
【請求項２１】
前記力は、使用時に、前記鼻の前記付根から眼の方向に配向されている、請求項１〜２０のいずれか一項に記載の患者インターフェース。
【請求項２２】
前記力は、患者の鼻孔の外側面に対接してシールをもたらすように配向されている、請求項１〜２１のいずれか一項に記載の患者インターフェースシステム。
【請求項２３】
前記可撓性基部は、前記上唇に接触するのを回避するように構築されている、請求項１〜２２のいずれか一項に記載の患者インターフェースシステム。
【請求項２４】
睡眠時呼吸障害の治療のために患者の気道の入口に陽圧で供給空気を送給するための患者インターフェースシステムにおいて、
鼻枕シールおよび可撓性基部を具備した患者インターフェース構造体であって、前記可撓性基部は、プレナムを画成した第１の部分および第２の部分を備え、前記鼻枕シールは、前記第１の部分の上に配置された患者インターフェース構造体と、
使用時には前記第１の部分に連結され、使用時には前記患者の鼻孔に隣接して、前記鼻枕シールを密閉的に配置するように構成されたシール位置決め／安定化構造体と、
前記患者の呼気を排出するのを可能にするベントであって、剛性または半剛性となるように構成されたベントと、
前記患者インターフェース構造体の前記可撓性基部の前記第２の部分に連結された空気送給チューブであって、前記第２の部分は、前記シールおよび前記シール位置決め／安定化構造体からチューブ牽引力を切り離すように構築された可撓性側壁部を備えた空気送給チューブと、
を備えている、患者インターフェースシステム。
【請求項２５】
前記鼻枕シールは、
使用時に鼻孔の周辺の区域において患者の鼻の下側にシールを形成するように適合化された裁頭円錐形状シール部分を各々が備えた一対の鼻枕と、
前記シール部分を前記可撓性基部に連結した茎状部と、
前記裁頭円錐形状シール部分の下側に位置し且つ前記茎状部に連結された第１の可撓性領域と、
前記茎状部の前記基部に隣接した第２の可撓性領域と、
を備えている、請求項２４に記載の患者インターフェース構造体。
【請求項２６】
前記シール位置決め／安定化構造体は、患者ヘッドギアを備えている、請求項２４または２５に記載の患者インターフェース構造体。
【請求項２７】
前記ヘッドギアと前記可撓性基部の前記第１の部分との間の連結部は、前記第１の部分の表面にわたりヘッドギア張力をかけるように適合化されている、請求項２６に記載の患者インターフェース構造体。
【請求項２８】
前記連結部は、前記第１の部分の上面に対して実質的に一直線にヘッドギア張力をかけるように適合化されている、請求項２７に記載の患者インターフェース構造体。
【請求項２９】
前記可撓性基部は、前記ヘッドギア張力の印加時に患者の鼻の下側の周囲において撓曲するように適合化されている、請求項２７または２８に記載の患者インターフェース構造体。
【請求項３０】
前記可撓性基部は、前記ヘッドギア張力の印加時に前記鼻の周囲において翼状角度をとるように撓曲するように適合化されている、請求項２９に記載の患者インターフェース構造体。
【請求項３１】
睡眠時呼吸障害の治療のために患者の気道の入口に陽圧で供給空気を送給するための患者インターフェースシステムであって、
可撓性基部およびシール形成構造体を備えた患者インターフェース構造体であって、前記可撓性基部はプレナムを画成した頂部部分および下方部分を備え、前記可撓性基部はチューブ牽引力切離しシステムの少なくとも一部を形成し、前記シール形成構造体は、前記可撓性基部の前記頂部部分の上に設置されて、使用時に患者の鼻の下側にシールを形成する、患者インターフェース構造体と、
前記シール形成構造体に隣接する前記可撓性基部の前記頂部部分に連結された、シール位置決め/安定化構造体と、
前記可撓性基部の前記下方部分に連結された空気送給チューブと、
重力下において自身の重量を支持するために十分な剛性、および／またはチューブの移動もしくはチューブの牽引下において閉塞もしくは折曲しないために十分な剛性を有するベント構造体と、
を備えている、患者インターフェースシステム。
【請求項３２】
前記シール形成構造体は、鼻枕を備えている、請求項３1に記載の患者インターフェースシステム。
【請求項３３】
前記シール形成構造体は、鼻プロングを備えている、請求項３1に記載の患者インターフェースシステム。
【請求項３４】
前記シール形成構造体は、発泡体クッションを備えている、請求項３1〜３３のいずれか一項に記載の患者インターフェースシステム。
【請求項３５】
前記シール形成構造体は、ゲルクッションを備えている、請求項３1〜３３のいずれか一項に記載の患者インターフェースシステム。
【請求項３６】
前記シール形成構造体は、フラップクッションを備えている、請求項３1〜３５のいずれか一項に記載の患者インターフェースシステム。